(57)【特許請求の範囲】
【請求項１】
軸線の周りに相互に対し回転することができる２つの部分（１，３；７）からなり、２つの部分の第１の部分（１，３）が前記軸線の近くに切断刃（１７）を担持し、第２の部分（７）が軸方向に動くことができかつばね手段（５０）により切断刃に対し端部位置に向って付勢されるフック（２２）を担持しているケーブル剥取り工具であって、フックが、切断刃に対面しかつ剥取られるケーブルを受け入れるよう作用する凹状の側面を有し、フックがまた該フックを前記工具に連結する全体が軸方向に向けられた軸部（２０）を含んでいるケーブル剥取り工具において、
ばね手段（５０）が、前記第２の部分（７）に関して前記端部位置に近づきまた離れるよう軸方向に動くことができる担持要素（４０）に対して作用し、ばね手段（５０）が担持要素（４０）をその端部位置に付勢するようにし、担持要素（４０）が軸部（２０）の共働構造（２４）に掛止することができる掛止装置（４７，４８）を担持し、該掛止装置が前記工具の外側から工具を分解せずに作動することができ、また前記フックのほかに取替えフック（２２）が設けられ、該取替えフック（２２）は前記掛止装置と共働するため軸部に前記共働構造（２４）を含みまた該軸部の有効長さが前記第１のフック（２２）の軸部の有効長さとは異なっていることを特徴とするケーブル剥取り工具。
【請求項２】
前記工具が、１つの用具により工具の外部から掛止装置（４７，４８）に接近できるようにする開口（１１，７２，４６）を含み、それにより掛止装置がフック軸部を解放することができることを特徴とする請求項１に記載の工具。
【請求項３】
前記用具（２７）がフックの軸部（２０）の自由端で構成されていることを特徴とする請求項２に記載の工具。
【請求項４】
前記掛止装置（４７，４８）が前記掛止装置の掛止状態に付勢されており、前記軸部（２０）の共働構造（２４）が前記軸部の軸方向の移動により前記掛止装置（４７，４８）と共働することができるように、前記フックの前記軸部（２０）が担持要素（４０）に挿入されるにつれて掛止装置（４７，４８）を最初に開放するように、前記フックの前記軸部（２０）が構成されていることを特徴とする請求項１から３のうちの１項に記載の工具。
【請求項５】
前記担持要素（４０）の端部位置がばね手段（５０）の無負荷状態により画定されることを特徴とする請求項１から４のうちの１項に記載の工具。
【請求項６】
前記掛止装置がばね付勢の掛止ピン（４７，４８）を含み、前記構造（２４）がフックの軸部（２０）を貫通する開口であることを特徴とする請求項２から５のうちの１項に記載の工具。
【請求項７】
前記フックの前記軸部が傾斜面（２６）を有し、該傾斜面により前記軸部が前記担持要素（４０）に挿入された時に前記掛止ピン（４８）がばね付勢に抗して前記掛止ピン（４８）の係合位置から戻ることができることを特徴とする請求項６に記載の工具。
【請求項８】
前記第１及び第２の部分が、軸部掛止装置が前記第１の部分（１）の開口（１１）及び前記第２の部分（７）の開口（７２）と整列している予め選択された回転の相対位置に向ってばね付勢されていることを特徴とする請求項１から７のうちの１項に記載の工具。
【請求項９】
前記フックの前記軸部（２０）が、前記第２の部分（７）との軸方向共働作用によりフックの端部位置を画定する当接部（２８）を有していることを特徴とする請求項１から７のうちの１項に記載の工具。
【発明の詳細な説明】
【０００１】
【発明の属する技術分野】
本発明はケーブル剥取り工具に関し、さらに詳細には、２つの部分からなり、これら部分が軸線の周りに相互に対し回転することができまた第１の部分が前記軸線の近くに切断刃を担持し第２の部分が軸線方向に動くことのできかつばね手段により切断刃に対し端部位置に向って付勢されるフックを担持している、ケーブル剥取り工具に関する。
【０００２】
【従来の技術】
米国特許第６，０７３，３４９号明細書はケーブル剥取り工具を教示しており、この工具は軸線の周りに相互に対し回転することのできる第１の部分と第２の部分とからなり、第１の部分が切断刃を担持し第２の部分がフックを担持している。該フックは軸方向に動くことができまたばね手段によって切断刃に対し終端位置に向って付勢され、該フックは切断刃に向って面し剥取られるケーブルを受取る凹面を有し、また該フックはこれが前記工具に連結されるほぼ軸方向に向けられた軸部を有している。
【０００３】
この工具とまたこの種の他の公知の工具の１つの欠点はフック要素を容易に取替えることができないことである。
【０００４】
【発明が解決しようとする課題】
したがって、本発明の目的はフック要素を容易に取替えることのできる工具構造を提供することである。
【０００５】
本発明の他の目的は前記工具と共に用いる異なった長さのフック要素を提供することである。
【０００６】
本発明のさらに他の目的は、工具に設けられた係止機構が作動されてフック要素の軸端部を案内本体に解放可能に連結することができる装置のような、フック要素の軸部分の設計を提供することである。
【０００７】
【課題を解決するための手段】
フックをケーブルと共に工具切断刃に向って付勢する工具ばねは平常時は切断刃とケーブルとの間の正しい係合力をもっぱらばねの限定された軸方向の変形範囲内に設定する特性を有している。
【０００８】
工具のフック要素を交換することができることによって得られる１つの利点は、ばねが切断刃にケーブルに対する正しい当接圧力を与えることのできる範囲の対応の直径の大きさのケーブルと共働するような相互の異なった長さのフック要素の間を選択できることである。
【０００９】
この目的は本発明のケーブル剥取り工具により、全部又は一部が達成される。
【００１０】
本発明はケーブル剥取り工具に関する特許請求の範囲の請求項１に規定されている。
【００１１】
【発明の実施の形態】
本発明の工具の実施態様は特許請求の範囲の請求項２以下に記載されている。
【００１２】
本発明のケーブル剥取り工具は添付図面を参照して以下に記載される。
【００１３】
図１〜４はケーブル３０を剥取る工具を示している。
【００１４】
本発明工具は中心ピン３を担持する底部２を含む全体が管状のハンドル１を含んでいる。前記ピン３は工具の外に延びかつ切断刃１７を担持する端部部分１０を含んでいる。本体７がハンドル１に対し回転するよう管状工具の中に取付けられる。工具はしたがって相互に対し回転することのできる部分、すなわちハンドル１とピン３とを含む第１の部分と本体７を含む第２の部分とを含んでいる。
【００１５】
本体７はピン３の端部部分１０が通過して延出する中央開口９を有している。偏心位置に、壁８が真直ぐな軸２０を収容する開口１６を有し、軸２０の端部はピン３に対しては軸回転できるが前記本体７に対しては回転できない担持要素４０に連結されている。担持要素４０は開口４４を有しこの開口を通ってピン３が延びることが分かる。担持要素４０は本体７の２つの軸方向に延び相互に平行な案内フランジ４２の間に係合する突出部４１を含んでいる。
【００１６】
フック２２はケーブル３０を切断刃１７に対し心出しするようになっているフック部分２１を有している。
【００１７】
ばね５０がピン３の端部部分１０と担持要素４０との間で軸方向に作用しケーブル３０をフック要素２２のフック部分２１を介して切断刃１７に対し押しつけるように示されている。
【００１８】
ピン３の底端部分は中央の軸方向に延びるスプライン４を含み、このスプライン４はカム円板５の開口壁５２の対応軸方向スプライン３４と係合する。カム円板５はしたがってピン３に沿って軸方向に動くことができまた各スプライン４，３４間の係合によって相対回転しないよう固定される。本体７はカム円板５の周縁部分と共働するカム従動子６０を担持している。この周縁部分に、カム従動子６０が係合することのできる周方向に離間して配置された構造７０′，７０″が形成されている。ハンドルの底部分２とカム円板５との間にカム円板５をカム従動子６０に接触するよう付勢する圧縮ばね７６が設けられている。
【００１９】
ハンドル１と本体７との間にばね５１が取付けられ、ばね５１はハンドル１と本体７を、カム従動子６０が例えばケーブル３０の軸方向に直角な平面上に位置する刃１７に対応する位置７０でカム円板の上側面に乗る相互の回転位置に戻す作用をする。
【００２０】
カム円板構造７０′（丸くされた凹所）はカム従動子６０と共働して、工具（フック２１）がケーブル軸線の周りに回転するにつれて切断刃がケーブル３０のケーシングにらせん状の溝を切込む切断刃の位置を区画形成することができる。３番目の構造７０″はケーブル３０に関して軸方向平面に位置する切断刃１７に対応している。したがって、切断刃１７は、凹所７０′，７０″とカム従動子６０の作用により、ばね５１の作用に抗して、本体７とフック２２とに対する回転の安定した位置に固定されることができる。
【００２１】
図１は担持要素４０の下方及び前方に突出する対称部分４３を示す。
【００２２】
フック要素２２がばね５０の圧縮された位置から解放された時、フックとその担持要素とはカム円板５に向って下方に動き、この位置でばね５０のばね特性とストロークの長さとが担持要素の前方に突出する部分４３がカム円板５を軸方向付勢ばね７６の作用に抗して下方に駆動するよう選択され、それにより円板５がそのカム従動子６０との係合が外れて自由に通過できるようにする。ばね５１がそれからハンドル１と本体７とを平常位置に戻す。ばね５０は、フックが解放された時円板５を一時的に下方にカム従動子との係合を外すため打つようになっている。これに代えて、ばね５０は担持要素４０が円板５を下方に押しカム従動子との係合を外すようばね７６に打勝つことができるようにする。
【００２３】
図４から、カム従動子６０とカム円板５の構造／凹所７０′，７０″とが丸くされそれにより操作員がカム円板５を、フック２２がケーブル３０に取付けられた時にハンドル１を回転することにより、回転させることができるようにし、それによりカム従動子６０が選択された凹所７０′，７０″に受け入れられ、そのためカム従動子と凹所との間の共働作用で戻りばね５１の作用に抗して回転を停止することができるようにすることが分かるであろう。当然に、ハンドル１と本体７との間の相互回転はばね４によって得られるカム従動子６０とカム円板５の相互間の軸方向の動きを必要とする。カム従動子６０の曲率と凹所７０の共働作用とを組合せたばね４はしたがって戻りばね５１の作用に抗する保持力を提供する。さらにまた、カム従動子６０と凹所７０はトルクが加えられた時にばね４に向うカム円板の軸方向の移動を促進するくさび効果を生み出す。
【００２４】
図５から、担持要素４０がフックの軸部２０の底端部分を受け入れる軸方向に向けられた凹所４５を有することが分かるであろう。この要素の突出部分４１は工具がばね５１により保持される平常状態にある時本体７の開口７２とハンドル１の開口１１とに整列される半径方向に向けられた通路４６を有している。
【００２５】
また、担持要素４０に固定されたばね舌片４７が対応の案内を通り通路４５の中に延びるロックピン４８を担持しそれによりフックの軸部２０が通路４５に下方に向って挿入された時ロックピン４８が該軸部２０の掛止開口２４と係合することが分かるであろう。また、フック軸部２０の端部が２６で傾斜されそれによりフック軸部２０が通路４５に挿入されるにつれてロックピン４８を通路４５から離すよう動くことができる傾斜表面を形成することが分かるであろう。
【００２６】
さらに、フック軸部の端部部分が狭く細長いロッド部分２７を含むことが分かるであろう。取替えフック２２の軸端部のロッド部分２７は開口１１，７２と通路２６を通って挿入され掛止ピン２８を開口２４の外に付勢することができ、その後で前記工具のフック要素２２が持ち上げられ掛止ピン４８から離れて通過され、その後に取替えフックのロッド２７が引出され前記工具のフック要素２２の連続した引出しができるようにする。
【００２７】
取替えフックの軸部分は偏心案内通路１６を通り前記担持要素の受け入れ通路４５の中へと下方に、所定位置に容易に配置することができ、それによりばね要素４７が担持ピン４８を軸部１６が担持要素４０における正しい位置を占めた時開口２４に係合させるようにする。
【００２８】
ハンドルの底部プレート２は取替え切断刃１７を保持するための容器を含むことができる。
【００２９】
フックの軸部は本体の上側面８と共働しフックの端部位置を画定する肩部を含むことができる。フック軸部の取付けのための掛止機構はしたがって開口を通って露出されている。
【００３０】
１つの実施態様の場合において、ばね５０はばね７６より強くなっており、それによりカム円板５が、工具に負荷のかけられない時（フックの中にケーブルがない時）にカム従動子６０の下側の一定距離だけ下方に押されて保持されるようにする。フックの軸部１６は前記本体７の壁８の上側面と共働する当接部２８を含みそれによりばね５０により付勢されるときに担持要素４０（と円板５）の下側端部位置を画定することができるようにする。
【００３１】
ケーブル３０がフックに挿入されるにつれて、フックは持上げられそれによりばね５０はカム円板５に対して作用しなくなり、そのためばね７６はカム円板５をカム従動子６０に押しつけることができるようになる。本体７とハンドル１はここでカム従動子６０のカム円板５の各構造部７０，７０′，７０″との係合によって画定される回転の安定した各位置へと相互に回転することができる。
【００３２】
担持要素４０の開口４６は、ばね５０の作用により工具の軸方向に、例えばその無負荷状態（本体４０が円板５から解放されて通過するときの）に、又はばね５０によりその相互に平衡した状態に、あるいは当接部２８と端壁８との共働作用によりばね５０の作用のもとに、開口１１，７２と整列して保持されることができる。
【図面の簡単な説明】
【図１】ケーブル剥取り工具の概略軸方向断面図である。
【図２】図１のII−II線による概略断面図である。
【図３】図１のIII −III 線による概略断面図である。
【図４】図３のIV−IV線による概略断面図である。
【図５】フック一軸担持要素の変形例を示す図２に対応する図である。
【図６】図５のVI−VI線による概略断面図である。
【図７】フック軸の端部部分の概略図である。
【符号の説明】
１…ハンドル
２…底部
３…中心ピン
４，３４…スプライン
５…カム円板
７…本体
９…中央開口
１７…切断刃
２０…フック軸部
２２…フック
２７…取替えフックのロッド（軸部分）
３０…ケーブル
４０…担持要素
４１…突出部分
４２…案内フランジ
４５，４６…通路
４７…ばね舌片
４８…掛止ピン
５０…ばね
６０…カム従動子
７０…凹所
【図１】
0004331466.tif 000002
【図２】
0004331466.tif 000003
【図３】
0004331466.tif 000004
【図４】
0004331466.tif 000005
【図５】
0004331466.tif 000006
【図６】
0004331466.tif 000007
【図７】
0004331466.tif 000008